(57)【要約】【課題】吸収パッドの交換時に内側シート材を破損することなく吸収パッドの粘着テープを引き剥がすことができる吸収性物品、使い捨ておむつ等を提供する。【解決手段】この使い捨ておむつ１は、透液性を有するトップ部１１が横方向の中央に設けられた内側シート材５と、 不透液性を有し、内側シート材５の外面側に配置される外側シート材と、水分を吸収する吸収素材を有し、内側シート材５と外側シート材との間に配置される吸収コア７とを備える。内側シート材５のトップ部１１に、部分的に強度が補強された補強部２１が設けられている。【選択図】図１
2012040274.tif 000002
【特許請求の範囲】
【請求項１】
着用者の股部を含む領域に装着される吸収性物品であって、
透液性を有するトップ部が横方向の中央に設けられた内側シート材と、
不透液性を有し、前記内側シート材の外面側に配置される外側シート材と、
水分を吸収する吸収素材を有し、前記内側シート材と前記外側シート材との間に配置される吸収コアと、
を備え、
前記内側シート材の前記トップ部に、部分的に強度が補強された補強部が設けられていることを特徴とする吸収性物品。
【請求項２】
請求項１に記載の吸収性物品において、
前記トップ部の前記補強部は、前記トップ部における、当該吸収性物品の肌面側に装着される吸収パッドの外面側に設けられるズレ止め用の粘着テープに対応する位置に設けられていることを特徴とする吸収性物品。
【請求項３】
請求項１又は請求項２に記載の吸収性物品において、
前記トップ部の前記補強部は、前記トップ部の他の部分と異なった色を有していることを特徴とする吸収性物品。
【請求項４】
請求項１ないし請求項３のいずれかに記載の吸収性物品において、
前記トップ部の前記補強部は、前記トップ部を形成するシートの肌面側に接合された補強シートを備えることを特徴とする吸収性物品。
【請求項５】
請求項１ないし請求項３のいずれかに記載の吸収性物品において、
前記トップ部の前記補強部は、前記トップ部を形成するシートの肌面側に間隔をあけて互いに平行に配置されて接合され、略帯状の形態を有する複数の補強シートを備えることを特徴とする吸収性物品。
【請求項６】
請求項４又は請求項５に記載の吸収性物品において、
前記補強部に備えられる前記補強シートの肌面側表面は、粘着テープの付着及び剥離を補助する剥離処理が施されていることを特徴とする吸収性物品。
【請求項７】
請求項１ないし請求項３のいずれかに記載の吸収性物品において、
前記トップ部は、透液性を有する不織布シートにより形成され、
前記トップ部の前記補強部は、前記トップ部を形成する前記不織布シートを部分的に加圧しながら溶融することにより形成された複数のエンボス部を備えることを特徴とする吸収性物品。
【請求項８】
請求項１ないし請求項７のいずれかに記載の吸収性物品を備えた使い捨ておむつであって、
請求項１ないし請求項７のいずれかに記載の前記吸収性物品により構成されたおむつ本体と、
前記おむつ本体の外面側における前記縦方向の前方側に付与された付着シートと、
前記おむつ本体の前記縦方向の後方側における前記横方向の両側の縁部に設けられ、前記付着シートに対して着脱自在に付着される左右のファスニング部材と、
を備えることを特徴とする使い捨ておむつ。
【請求項９】
請求項１ないし請求項７のいずれかに記載の吸収性物品を備えたパンツ型使い捨ておむつであって、
前腹部と、後背部と、前記前腹部と前記後背部との間に設けられる股部とを有し、前記前腹部の前記横方向の両側の縁部と前記後背部の前記横方向の両側の縁部とが接合された外装材と、
請求項１ないし請求項７のいずれかに記載の前記吸収性物品により構成され、前記外装材の肌面側に付与された内装材と、
を備えることを特徴とするパンツ型使い捨ておむつ。
【請求項１０】
請求項１ないし請求項７のいずれかに記載の吸収性物品を備えた組合せ吸収物品であって、
請求項１ないし請求項７のいずれかに記載の前記吸収性物品と、
外面側にズレ止め用の粘着テープが設けられ、前記吸収性物品の肌面側に装着される吸収パッドと、
を備えることを特徴とする組合せ吸収物品。
【発明の詳細な説明】
【技術分野】
【０００１】
本発明は、着用者の股部を含む領域に装着される吸収性物品、使い捨ておむつ、パンツ型使い捨ておむつ及び組合せ吸収物品に関する。
【背景技術】
【０００２】
大人用の吸収性物品、例えば使い捨ておむつの使用形態として、コスト低減、又は夜間等のおむつ交換の頻度を抑制すること等を目的として、使い捨ておむつとその肌面側に敷き込まれる吸収パッドとが併用されるケースが増加している。吸収パッドは使い捨ておむつよりも安価なため、交換の際に吸収パッドのみを交換することにより、コスト低減が図れる。また、吸収パッドを併用することにより、おむつの尿等の吸収容量が補強され、夜間等のおむつの交換頻度を抑制できる。
【０００３】
このため、吸収パッドには、吸収性物品の肌面側に敷き込まれた際のズレ止め用の粘着テープが付与されたものがある。しかし、吸収パッドの交換のため、吸収パッドの粘着テープを吸収性物品の肌面側表面から剥がす際に、吸収性物品の肌面側表面を形成する内側シート材が破損することがある。あるいは、吸収パッドの粘着テープが吸収性物品の内側シート材から剥がれにくく、引き剥がすのに手間取る場合もある。
【０００４】
その対策として、吸収パッドの粘着テープの付着強度を低下させる方法が考えられる。しかし、吸収性物品の内側シート材には不織布が用いられる場合が多いため、粘着テープの付着強度を低下させると、吸収パッドの粘着テープが内側シート材に付着しにくくなり、粘着テープの付着強度が低下するという問題がある。
【０００５】
なお、吸収パッドの併用を考慮した使い捨ておむつとしては、例えば特許文献１に記載のものがある。この使い捨ておむつでは、おむつの肌面側に吸収パッドを挿入して位置決めできるポケットが形成されている（要約等参照）。
【先行技術文献】
【特許文献】
【０００６】
【特許文献１】再表０１／０３９７１４号公報
【発明の概要】
【発明が解決しようとする課題】
【０００７】
そこで、本発明の解決すべき第１の課題は、吸収パッドの交換時に内側シート材を破損することなく吸収パッドの粘着テープを引き剥がすことができる吸収性物品、使い捨ておむつ、パンツ型使い捨ておむつ及び組合せ吸収物品を提供することである。
【０００８】
また、本発明の解決すべき第２の課題は、内側シート材のトップ部に対する吸収パッドの粘着テープの十分な付着強度が得られるとともに、吸収パッドの交換時に吸収パッドの粘着テープを容易に引き剥がせる吸収性物品、使い捨ておむつ、パンツ型使い捨ておむつ及び組合せ吸収物品を提供することである。
【課題を解決するための手段】
【０００９】
上記の課題を解決するため、請求項１の発明では、着用者の股部を含む領域に装着される吸収性物品であって、透液性を有するトップ部が横方向の中央に設けられた内側シート材と、不透液性を有し、前記内側シート材の外面側に配置される外側シート材と、水分を吸収する吸収素材を有し、前記内側シート材と前記外側シート材との間に配置される吸収コアとを備え、前記内側シート材の前記トップ部に、部分的に強度が補強された補強部が設けられている。
【００１０】
また、請求項２の発明では、請求項１の発明に係る吸収性物品において、前記トップ部の前記補強部は、前記トップ部における、当該吸収性物品の肌面側に装着される吸収パッドの外面側に設けられるズレ止め用の粘着テープに対応する位置に設けられている。
【００１１】
また、請求項３の発明では、請求項１又は請求項２の発明に係る吸収性物品において、前記トップ部の前記補強部は、前記トップ部の他の部分と異なった色を有している。
【００１２】
また、請求項４の発明では、請求項１ないし請求項３のいずれかの発明に係る吸収性物品において、前記トップ部の前記補強部は、前記トップ部を形成するシートの肌面側に接合された補強シートを備える。
【００１３】
また、請求項５の発明では、請求項１ないし請求項３のいずれかの発明に係る吸収性物品において、前記トップ部の前記補強部は、前記トップ部を形成するシートの肌面側に間隔をあけて互いに平行に配置されて接合され、略帯状の形態を有する複数の補強シートを備える。
【００１４】
また、請求項６の発明では、請求項４又は請求項５の発明に係る吸収性物品において、前記補強部に備えられる前記補強シートの肌面側表面は、粘着テープの付着及び剥離を補助する剥離処理が施されている。
【００１５】
また、請求項７の発明では、請求項１ないし請求項３のいずれかの発明に係る吸収性物品において、前記トップ部は、透液性を有する不織布シートにより形成され、前記トップ部の前記補強部は、前記トップ部を形成する前記不織布シートを部分的に加圧しながら溶融することにより形成された複数のエンボス部を備える。
【００１６】
また、請求項８の発明では、請求項１ないし請求項７のいずれかの発明に係る吸収性物品を備えた使い捨ておむつであって、請求項１ないし請求項７のいずれかの発明に係る前記吸収性物品により構成されたおむつ本体と、前記おむつ本体の外面側における前記縦方向の前方側に付与された付着シートと、前記おむつ本体の前記縦方向の後方側における前記横方向の両側の縁部に設けられ、前記付着シートに対して着脱自在に付着される左右のファスニング部材とを備える。
【００１７】
また、請求項９の発明では、請求項１ないし請求項７のいずれかの発明に係る吸収性物品を備えたパンツ型使い捨ておむつであって、前腹部と、後背部と、前記前腹部と前記後背部との間に設けられる股部とを有し、前記前腹部の前記横方向の両側の縁部と前記後背部の前記横方向の両側の縁部とが接合された外装材と、請求項１ないし請求項７のいずれかの発明に係る前記吸収性物品により構成され、前記外装材の肌面側に付与された内装材とを備える。
【００１８】
また、請求項１０の発明では、請求項１ないし請求項７のいずれかの発明に係る吸収性物品を備えた組合せ吸収物品であって、請求項１ないし請求項７のいずれかの発明に係る前記吸収性物品と、外面側にズレ止め用の粘着テープが設けられ、前記吸収性物品の肌面側に装着される吸収パッドとを備える。
【発明の効果】
【００１９】
請求項１ないし請求項１０に記載の発明によれば、内側シート材のトップ部に、部分的に強度が補強された補強部が設けられている。このため、その補強部に吸収パッドのズレ止め用の粘着テープを付着させることにより、吸収パッドの交換時に内側シート材を破損することなく粘着テープを引き剥がすことができる。
【００２０】
また、吸収パッドのズレ止め用の粘着テープを補強部に合わせるように吸収パッドを装着することにより、吸収パッドを吸収性物品の肌面側における適切な位置に装着できる。
【００２１】
請求項３に記載の発明によれば、トップ部の補強部がトップ部の他の部分と異なった色を有しているため、トップ部における吸収パッドの粘着テープを付着させるべき位置を容易に認識できる。
【００２２】
請求項４に記載の発明によれば、トップ部の補強部がトップ部を形成するシートの肌面側に接合された補強シートを備えているため、トップ部の補強部の強度を確実に向上させて、吸収パッドの交換時に内側シート材が破損するのを確実に防止できる。
【００２３】
請求項５に記載の発明によれば、トップ部の補強部がトップ部を形成するシートの肌面側に接合された略帯状の形態を有する複数の補強シートを備えているため、トップ部の補強部の強度を確実に向上させて、吸収パッドの交換時に内側シート材が破損するのを確実に防止できる。
【００２４】
また、トップ部の補強部に設けられる複数の補強シートは、略帯状の形態を有し、トップ部を形成するシートの肌面側に間隔をあけて互いに平行に配置されて接合されているため、仮に補強シートが不透液性を有するものであっても、補強シートの接合によりトップ部の透液性が損なわれるのを回避できる。その結果、吸収パッドを装着しないで吸収性物品が用いられる場合に、トップ部の補強部が設けられた部分で尿の透りが悪くなるのを防止できる。
【００２５】
請求項６に記載の発明によれば、補強部に備えられる補強シートの肌面側表面に粘着テープの付着及び剥離を補助する剥離処理が施されている。このため、内側シート材のトップ部に対する吸収パッドの粘着テープの十分な付着強度が得られるとともに、吸収パッドの交換時に吸収パッドの粘着テープを容易に引き剥がせる。また、吸収パッドの粘着テープの大きさ、又は粘着テープに付与する粘着剤の粘着強度を抑制でき、これによって吸収パッドの交換時に粘着テープがさらに引き剥がしやすくなる。
【００２６】
請求項７に記載の発明によれば、補強部に形成されるエンボス部ではトップ部を形成する不織布シート中の繊維同士が熔融されて互いに結合される。このため、複数のエンボス部を形成することによりトップ部の補強部の強度を向上させることができるとともに、補強部に吸収パッドの粘着テープが付着しやすくなる。また、吸収パッドの粘着テープの大きさ、又は粘着テープに付与する粘着剤の粘着強度を抑制でき、これによって吸収パッドの交換時に粘着テープが引き剥がしやすくなる。
【００２７】
また、トップ部を形成する不織布シートに複数のエンボス部を形成することにより補強部が形成されているため、補強シート等の他の部材を接合することなく、簡単に補強部を形成できる。
【００２８】
また、トップ部の補強部内におけるエンボス部以外の部分は不織布の通常の繊維状態が維持されているため、補強部の透液性を維持できる。その結果、吸収パッドを装着しないで吸収性物品が用いられる場合に、トップ部の補強部が設けられた部分で尿の透りが悪くなるのを防止できる。
【図面の簡単な説明】
【００２９】
【図１】本発明の第１実施形態に係る使い捨ておむつ（以下、単に「おむつ」という）が平面状に展開された状態を肌面側から見た平面図である。
【図２】図１のおむつのＡ１−Ａ１線に沿った断面の構成を模式的に示す図である。
【図３】図１のおむつの肌面側に敷き込まれる吸収パッドの外面側から見た平面図である。
【図４】図３の吸収パッドが図１のおむつの肌面側に敷き込まれた状態を示す断面図である。
【図５】図１のおむつのトップ部に設けられる補強部の構成に関する変形例を示す図である。
【図６】図５のＡ２−Ａ２線に沿った断面の構成を示す図である。
【図７】図１のおむつのトップ部に設けられる補強部の構成に関する他の変形例を示す図である。
【図８】図７のＡ３−Ａ３線に沿った断面の構成を示す図である。
【図９】図１のおむつに設けられる補強部の配置位置等に関する変形例を示す図である。
【図１０】本発明の第２実施形態に係るパンツ型使い捨ておむつ（以下、単に「パンツ型おむつ」という）を、左右のサイド接合部を切り離して略平面状に展開したときの平面図である。
【図１１】図１０のパンツ型おむつのＡ４−Ａ４線に沿った断面の構成を模式的に示す断面図である。
【発明を実施するための形態】
【００３０】
図１ないし図４を参照して、本発明の第１実施形態に係るおむつ１について説明する。なお、本明細書及び図面において、横方向Ｘは着用者の左右方向に対応しており、縦方向Ｙは着用者の前後方向又は上下方向に対応している。図１及び図３上における上側は、着用者を基準として後側に対応している。
【００３１】
本実施形態に係るおむつ１は、着用者の股部を含む領域に装着されるものであって、図１及び図２に示すように、おむつ本体２と、付着シート３と、左右のファスニング部材４とを備えて構成される。このおむつ１は、図３に例示する吸収パッド３１と組合せ吸収物品３２（図４参照）を構成している。吸収パッド６は、図４に示すようにおむつ１の肌面側における後述する左右のひだ部１２２の横方向Ｘの内方側の領域に敷き込まれ、交換可能となっている。
【００３２】
おむつ１のおむつ本体２は、本発明に係る吸収性物品に相当しており、内側シート材５と、外側シート材６と、吸収コア７と、左右の弾性部材８とを備えて構成される。おむつ本体２の内側シート材５は、おむつ本体２の肌面側に配置されるシート状の部材であり、トップ部１１と、左右のサイド部１２とを有している。トップ部１１は、透液性を有し、横方向Ｘの中央部に設けられる。左右のサイド部１２は、不透液性を有し、トップ部１１の横方向Ｘの両側に設けられる。より具体的には、トップ部１１は、親水性を有する不織布シートからなるトップシート１１１により形成される。トップシート１１１は、おむつ本体２の肌面側における横方向Ｘの中央部において縦方向Ｙに沿って配置される。左右のサイド部１２は、疎水性を有する不織布シートからなる左右のサイドシート１２１によりそれぞれ形成される。左右のサイドシート１２１は、トップシート１１１の横方向Ｘの両側の縁部に肌面側から重なるように縦方向Ｙに沿ってそれぞれ配置されている。トップシート１１１の横方向Ｘの両側の縁部と、その各縁部に対向する左右のサイドシート１２１の各部分とが接着剤（例えば、ホットメルト接着剤）によって接合されている。
【００３３】
また、左右のサイドシート１２１の横方向Ｘの内方側の部分は起立可能なひだ部１２２となっている。このひだ部１２２の先端部に左右の弾性部材８が伸張された状態で縦方向Ｙに沿って接合されている。そして、この左右の弾性部材８の収縮力により、左右のひだ部１２２が着用者の肌面側に向けて立ち上がり、いわゆる立体ギャザーを構成する。この立体ギャザーにより、おむつ１の横方向Ｘの両側から尿等の排泄物が漏れるのが防止される。
【００３４】
外側シート材６は、不透液性を有し、内側シート材５の外面側に配置され、内側シート材５との間で吸収コア７を挟み込む。より具体的には、外側シート材６は、例えば、不透液性を有する樹脂フィルムと不織布とを貼り合わせてなる複合シートにより構成される。この外側シート材６により、吸収コア７から染み出した尿等がおむつ１の外部に漏れ出すのが防止される。
【００３５】
吸収コア７は、水分を吸収する吸収素材を備えて構成され、内側シート材５と外側シート材６との間に配置される。吸収素材としては、パルプ等からなる繊維集合体、又は吸収性ポリマーを内包したパッド等が挙げられる。また、繊維集合体等からなる吸収素材をティッシュペーパー等の包装シートにより包んでもよい。
【００３６】
付着シート３は、後述する左右のファスニング部材４に設けられた付着エレメント１７が着脱可能なシート状の部材により形成され、外側シート材６の外面側における縦方向Ｙの前方側の領域に接着剤等の接合手段により接合される。
【００３７】
左右のファスニング部材４は、基材シート１６と、その基材シート１６の肌面側表面に付与された付着エレメント１７とを備えて構成され、おむつ１を着用者に装着したときの固定具としての役割を担っている。基材シート１６は、不織布等のシート材によって形成され、横方向Ｘの内方側の縁部が、おむつ本体２の縦方向Ｙの後方側における横方向Ｘの両側の縁部に接着剤等の接合手段により接合されている。本実施形態では、基材シート１６の横方向Ｘの内方側の縁部が、内側シート材５と外側シート材６との間に挟み込まれた状態で内側シート材５及び外側シート材６のいずれか一方又は両方に接着剤等の接合手段により接合されている。
【００３８】
付着エレメント１７と付着シート３とは、互いに着脱自在に付着する構成であれば任意の構成が採用可能である。具体例として、例えば、付着エレメント１７として複数のフック構造を有するフック材を用い、付着シート３としてそのフック材のフック構造が着脱自在に係合する複数のループ構造を有するループ材を用いた構成が挙げられる。他の具体例として、付着エレメント１７として粘着物質が付与された粘着シートを用い、付着シート３としてその粘着シートが着脱自在に付着する付着面を有するシート材を用いた構成が挙げられる。
【００３９】
一方、吸収パッド３１は、図３及び図４に示すように、吸収コア３３と、内側シート材３４と、外側シート材３５と、ズレ止め用の粘着テープ３６とを備えている。吸収コア３３は、水分を吸収する吸収素材（例えば、上述のおむつ１の吸収コア７の吸収素材と同様な吸収素材）を有する。内側シート材３４は、少なくとも一部の領域（例えば、横方向Ｘの中央部）が透液性を有し、吸収コア３３の肌面側に配置される。外側シート材３５は、不透液性を有し、吸収コア３３の外面側に配置される。粘着テープ３６は、この吸収パッド３１の位置ズレを防止するためのものであり、外側シート材３５の外面側に接着剤等の接合手段により接合される。粘着テープ３６の表面には粘着剤が付与されており、その粘着剤によりおむつ１のトップ部１１に引き剥がし可能な態様で付着する。粘着テープ３６がおむつ１のトップ部１１に付着することにより、吸収パッド３１の位置ズレが抑制される。図３に示す構成では、粘着テープ３６は吸収パッド３１の外面側における前方側の部分に付与されている。
【００４０】
また、本実施形態に係るおむつ１では、上記のような吸収パッド３１の粘着テープ３６に対応して、図１及び図２に示すように、トップ部１１を形成するトップシート１１１に部分的に強度が補強された補強部２１が設けられている。そして、吸収パッド３１の粘着テープ３６がトップ部１１の補強部２１に付着されるようになっている。
【００４１】
この補強部２１は、トップシート１１１における、おむつ１の肌面側に装着される吸収パッド３１に設けられる粘着テープ３６に対応する位置に設けられている。図１に示す例では、補強部２１は、トップシート１１１の縦方向Ｙの前方側の部分における横方向Ｘの中央に設けられている。また、補強部２１の面積は、粘着テープ３６の面積よりも広いのが望ましい。さらに、補強部２１は、トップ部１１の他の部分の色（例えば、白色）と異なった色（例えば、赤色等）を有しているのが望ましい。
【００４２】
より具体的には、補強部２１は、図２に示すように、トップ部１１を形成するトップシート１１１の肌面側に補強シート２１１を接合することにより形成される。補強シート２１１としては、例えば樹脂フィルムが用いられるが、不織布シート等を用いてもよい。補強シート２１１として樹脂フィルムが用いられた場合は、後述する剥離処理等の加工が容易であるという利点がある。また、補強シート２１１として不織布シート（例えば、親水性不織布シート）が用いられた場合は、補強シート２１１の貼付によるトップ部１１の透水性及び通気性の劣化を抑制できるという利点がある。補強シート２１１とトップシート１１１との接合は、接着剤（例えば、ホットメルト接着剤）又は溶着（例えば、加熱溶着又は超音波溶着）等が用いられる。また、補強シート２１１は、トップシート１１１の色（例えば、白色）と異なる色（例えば、赤色等）であるのが望ましい。
【００４３】
補強シート２１１の肌面側表面は、粘着テープ３６の付着及び剥離を補助する剥離処理が施されていてもよい。その剥離処理は、例えば、補強シート２１１の滑らかに加工された肌面側表面に剥離剤（例えば、シリコーン系ポリマー等）を塗布すること等により行われる。この剥離処理により、補強シート２１１の肌面側表面に剥離剤からなる剥離層を形成してもよい。
【００４４】
以上のように、本実施形態に係るおむつ１によれば、内側シート材５のトップ部１１に設けられた補強部２１に吸収パッド３１の粘着テープ３６を付着させることにより、吸収パッド３１の交換時に内側シート材５を破損することなく粘着テープ３６を引き剥がすことができる。
【００４５】
また、吸収パッド３６の粘着テープ３６を補強部２１に合わせるように吸収パッド３１を装着することにより、吸収パッド３１をおむつ１の肌面側における適切な位置に装着できる。
【００４６】
また、補強部２１の色をトップ部１１の他の部分と異なった色にすることにより、トップ部１１における吸収パッド３１の粘着テープ３６を付着させるべき位置を容易に認識できる。
【００４７】
また、補強部２１がトップ部１１を形成するトップシート１１１の肌面側に補強シート２１１を接合することにより形成されているため、補強部２１の強度を確実に向上させて、吸収パッド３１の交換時に内側シート材５が破損するのを確実に防止できる。
【００４８】
また、補強部２１を形成する補強シート２１１の肌面側表面に粘着テープの付着及び剥離を補助する剥離処理を施すことにより、内側シート材５のトップ部１１に対する吸収パッド３１の粘着テープ３６の十分な付着強度が得られるとともに、吸収パッド３１の交換時に粘着テープ３６を容易に引き剥がせる。また、吸収パッド３１の粘着テープ３６の大きさ、又は粘着テープ３６に付与する粘着剤の粘着強度を抑制でき、これによって吸収パッド３１の交換時に粘着テープ３６がさらに引き剥がしやすくなる。
【００４９】
次に、図５ないし図９を参照して、上述の実施形態に係るおむつ１の変形例について説明する。上述の図１及び図２に示す構成では、１枚の連続した補強シート２１１により補強部２１を形成した。この点に関する変形例として、図５及び図６に示すように、略帯状の形態を有する複数の補強シート２１２をトップシート１１１に接合することにより、補強部２１を形成してもよい。この図５及び図６に示す構成では、複数の補強シート２１２が、間隔をあけて互いに平行に配置された状態でトップシート１１１の肌面側に接合されている。より詳細には、図５及び図６に示す例では、複数の補強シート２１２が、横方向Ｘに間隔をあけて縦方向Ｙに沿って延びている。補強シート２１２の素材（色も含む）及び補強シート２１２とトップシート１１１との接合は、上述の補強シート２１１の場合と同様な構成が採用可能である。また、補強シート２１２の肌面側表面に剥離処理を施すのが望ましい。
【００５０】
この図５及び図６に示す構成によれば、略帯状の形態を有する複数の補強シート２１２を間隔をあけて互いに平行に配置された状態でトップシート１１１に接合することにより補強部２１を形成するため、仮に補強シート２１２が不透液性を有するものであっても、補強シート２１２の接合によりトップ部１１（トップシート１１１）の透液性が損なわれるのを回避できる。その結果、吸収パッド３１を装着しないでおむつ１が用いられる場合に、トップ部１１の補強部２１が設けられた部分で尿の透りが悪くなるのを防止できる。
【００５１】
また、補強部２１に関する他の変形例として、図７及び図８に示すように、補強シート２１１等の他のシートを用いずに補強部２１を形成してもよい。この図７及び図８に示す構成では、補強部２１が、不織布シートからなるトップシート１１１に散点状に配置された複数のエンボス部２１３を形成することにより形成されている。エンボス部２１３は、トップシート１１１を部分的に加圧しながら溶融（例えば、加熱溶融又は超音波熔融）することにより形成される。なお、各エンボス部２１３の形状及び配置パターンは種々の形状及び配置パターンが採用可能である。
【００５２】
エンボス部２１３では、不織布繊維同士が熔融により結合されるため、複数のエンボス部２１３を形成することにより補強部２１の強度を向上させることができるとともに、補強部２１に吸収パッド３１の粘着テープ３６が付着しやすくなる。また、吸収パッド３１の粘着テープ３６の大きさ、又は粘着テープ３６に付与する粘着剤の粘着強度を抑制でき、これによって吸収パッド３１の交換時に粘着テープ３６が引き剥がしやすくなる。
【００５３】
また、トップシート１１１に複数のエンボス部２１３を形成することにより補強部２１が形成されているため、補強シート２１１等の他の部材を接合することなく、簡単に補強部２１を形成できる。
【００５４】
また、補強部２１内におけるエンボス部２１３以外の部分は不織布の通常の繊維状態が維持されているため、補強部２１の透液性を維持できる。その結果、吸収パッド３１を装着しないでおむつ１が用いられる場合に、トップ部１１の補強部２１が設けられた部分で尿の透りが悪くなるのを防止できる。
【００５５】
また、上述の図１に示す構成では、補強部２１がトップ部１１の縦方向Ｙの前方側の部分の１カ所に設けられている。この点に関する変形例として、吸収パッド３１の複数箇所に粘着テープ３６が付与されている場合、これに対応して補強部２１もトップ部１１の複数箇所に設けてもよい。例えば、図９に示すように、補強部２１をトップ部１１の縦方向Ｙの前方側の部分及び後方側の部分の２カ所に設けてもよい。補強部２１及び粘着テープ３６を複数箇所に設けることにより、吸収パッド３１の位置ズレをより確実に防止できる。また、トップ部１１の１カ所に補強部２１を形成する場合についても、吸収パッド３１の粘着テープ３６が付与される位置に応じて、トップ部１１の縦方向Ｙの後方側の部分又は中央部分等、種々の構成が採用可能である。
【００５６】
次に、図１０及び図１１を参照して、本発明の第２実施形態に係るパンツ型おむつ５０について説明する。図１０上における上側は、着用者を基準として前側に対応している。本実施形態に係るパンツ型おむつ５０の内装材５１は、概略的な構成が上述の第１実施形態に係るおむつ１のおむつ本体２と類似しており、内装材５１のおむつ本体２と対応する部分については、同一の参照符号を用いて説明の重複を回避する。
【００５７】
本実施形態に係るパンツ型おむつ５０は、図１０及び図１１に示すように、内装材５１と外装材５２とを備えて構成されている。内装材５１は、上述の第１実施形態に係るおむつ１のおむつ本体２と類似した構成を有している。内装材５１がおむつ本体２と異なる点は、内装材５１では外側シート材６の横方向Ｘの両側の縁部が、吸収コア７の横方向Ｘの外方側の縁部を包むように吸収コア７の肌面側に巻き上げられている点である。このため、内側シート材５の横方向Ｘの両側の縁部は、外側シート材６の巻き上げられた横方向Ｘの両側の縁部に肌面側から接着剤（例えば、ホットメルト接着剤）により接合されている。このような内装材５１は、後述する外装材５２の肌面側に接着剤（例えば、ホットメルト接着剤）により接合される。
【００５８】
外装材５２は、前腹部５２１と、後背部５２２と、前腹部５２１と後背部５２２との間に設けられる股部５２３とを有している。前腹部５２１の横方向Ｘの両側の縁部５２１ａと後背部５２２の横方向Ｘの両側の縁部５２２ａとが、サイド接合部５４にて、溶着又は接着剤により接合されている。
【００５９】
また、外装材５２は、重ね合わされた２枚の基材シート７１，７２を備えて構成されている。それらの基材シート７１，７２には不織布等が用いられ、それらの基材シート７１，７２の間に、前側及び後側脚周り弾性部材６１，６２、前側及び後側ボディ弾性部材６３，６４、及び前側及び後側ウエスト弾性部材６５，６６が伸張された状態で挟み込まれる。
【００６０】
また、本実施形態に係るパンツ型おむつ５０においても、パンツ型おむつ５０の肌面側に敷き込まれる吸収パッド３１に付与された粘着テープ３６に対応して、補強部２１が内装材５１の内側シート材５のトップ部１１に設けられている。これによって、上述の第１実施形態に係るおむつ１とほぼ同様な効果が得られる。なお、本実施形態に係るパンツ型おむつ５０についても、第１実施形態に係るおむつ１に対する上述の各種の変形例を適用してもよい。
【符号の説明】
【００６１】
1  おむつ、２  おむつ本体、３  付着シート、４  ファスニング部材、５  内側シート材、６  外側シート材、７  吸収コア、８  弾性部材、１１  トップ部、１１１  トップシート、１２  サイド部、１２１  サイドシート、１２２  ひだ部、１６  基材シート、１７  付着エレメント、２１  補強部、２１１，２１２  補強シート、３１  吸収パッド、３２  組合せ吸収物品、３３  吸収コア、３４  内側シート材、３５  外側シート材、３６  粘着テープ、５０  パンツ型おむつ、５１  内装材、５２  外装材、５４  サイド接合部、６１，６２  脚周り弾性部材、６３，６４  ボディ弾性部材、６５，６６  ウエスト弾性部材、７１，７２  基材シート、Ｘ  横方向、Ｙ  縦方向。
【図１】
2012040274.tif 000003
【図２】
2012040274.tif 000004
【図３】
2012040274.tif 000005
【図４】
2012040274.tif 000006
【図５】
2012040274.tif 000007
【図６】
2012040274.tif 000008
【図７】
2012040274.tif 000009
【図８】
2012040274.tif 000010
【図９】
2012040274.tif 000011
【図１０】
2012040274.tif 000012
【図１１】
2012040274.tif 000013